(57)【特許請求の範囲】
【請求項１】
ビデオカメラを連続的に移動させて撮影した映像データを使用する映像表示画面の個数に応じて各々時間差をつけて重層的に再生し、複数の位置に任意に配置された映像表示画面に、各配置位置に対応した映像場面を、各々同期して連続的に表示することを特徴とする映像表示方法。
【請求項２】
ビデオカメラを連続的に移動させて撮影した映像データを使用する映像表示画面の個数に応じて各々時間差をつけて重層的に再生し、該ビデオカメラの移動に同調する速度で任意の位置間隔で移動する複数の映像表示画面に、各移動位置に対応した映像場面を、各々同期して連続的に表示することを特徴とする映像表示方法。
【請求項３】
ビデオカメラを連続的に移動させて撮影した映像データを使用する映像表示画面の個数に応じて各々時間差をつけて重層的に再生し、複数の位置に任意に配置された映像表示画面に、各配置位置に対応した映像場面の静止画像を、各々同期して連続的に表示するとともに、該ビデオカメラの移動に同調する速度で移動する映像表示画面に、移動位置に対応した映像場面を同時に表示することを特徴とする映像表示方法。
【請求項４】
ビデオカメラを連続的に移動させて撮影した映像データを使用する映像表示画面の個数に応じて各々時間差をつけて重層的に再生し、該ビデオカメラの移動に同調する速度で任意の位置間隔で移動する複数の映像表示画面に、各移動位置に対応した映像場面の静止画像を、各々同期して連続的に表示するとともに、任意の位置に配置された映像表示画面に、配置位置に対応した映像場面を同時に表示することを特徴とする映像表示方法。
【請求項５】
ビデオカメラを撮影方向に交差する軸を中心に連続的に回転させて撮影した回転パノラマ映像の映像データを使用することを特徴とする請求項１、２、３又は４記載の映像表示方法。
【請求項６】
別々の方向に向けた複数のビデオカメラを、撮影方向に交差する軸を中心に同時に同軸で連続的に回転させて撮影した回転パノラマ映像の各々のビデオカメラ個別の映像データを並列に使用することを特徴とする請求項１、２、３又は４記載の映像表示方法。
【請求項７】
前記映像表示画面が映像表示手段の画面上に構築されたサブ画面で構成されることを特徴とする請求項１、２、３、４、５又は６記載の映像表示方法。
【請求項８】
前記請求項１、２、３、４、５、６又は７記載の映像表示方法に基づいて編集された映像データが格納されていることを特徴とする映像記録媒体。
【請求項９】
ビデオカメラを連続的に移動させて撮影した映像データをコンピュータシステムの映像記録媒体へ格納するステップと、
前記映像データを重層的に使用して、前記請求項１、２、３、４、５、６又は７記載の映像表示方法に基づいて、コンピュータシステムの演算処理装置によって編集し、編集映像データを得るステップと、
前記編集映像データをコンピュータシステムのサーバに格納してウェブサイトで運用するステップとを有することを特徴とする映像表示方法。
【請求項１０】
ビデオカメラを連続的に移動させて撮影した映像データが格納された映像記録媒体と、
複数の映像表示画面と、
前記映像記録媒体に格納された前記映像データを重層的に使用し、前記請求項１、２、３、４、５、６又は７記載の映像表示方法に基づいて、前記映像表示画面に映像場面を表示させる映像再生手段とを具備することを特徴とする映像システム。
【請求項１１】
前記請求項１、２、３、４、５、６又は７記載の映像表示方法に基づく映像データの編集処理手続きがコンピュータシステムの演算処理装置にプログラムされ、前記ビデオカメラを連続的に移動させて撮影した映像データを該映像データが格納された映像記録媒体を介して前記コンピュータシステムに入力することで、前記編集処理手続きが自動的にプログラム実行され、編集映像データが複数の映像表示画面に出力表示されることを特徴とする映像システム。
【請求項１２】
前記請求項１、２、３、４、５、６又は７記載の映像表示方法に基づく映像データの編集処理手続きがコンピュータシステムの演算処理装置にプログラムされ、前記ビデオカメラを連続的に移動させて撮影した映像データを直接に前記コンピュータシステムに入力することで、前記編集処理手続きが自動的にプログラム実行され、編集映像データが複数の映像表示画面に撮影とリアルタイムで出力表示されることを特徴とする映像システム。
【請求項１３】
前記映像表示画面の前方に配置され、該画面から所定の距離だけ離れた位置に該画面を望む窓を形成すべく枠状に設けられ、前記画面の前方において画面を見る者の眼の位置が移動する所定の範囲内では、前記窓の縁によって各々の表示画面の周縁部が隠されて前記窓内には前記画面以外が見えないように、前記窓の大きさが前記画面よりも小さく設けられた画面用窓枠を具備することを特徴とする請求項１０、１１又は１２記載の映像システム。
【請求項１４】
前記画面用窓枠が画面方向に向かって該画面には至らない幅で伸びる折り返し壁を有し、該折り返し壁で囲まれる空間により前記窓が形成されていることを特徴とする請求項１３記載の映像システム。
【請求項１５】
視覚的に違和感のない連続した映像を表示すべく、接近して配置された前記映像表示画面に発生する互いの重複映像範囲を、前記画面用窓枠を用いて遮蔽したことを特徴とする請求項１３又は１４記載の映像システム。
【請求項１６】
視覚的に違和感のない連続した映像を表示すべく、接近して配置された前記映像表示画面に発生する互いの重複映像範囲を、重層的に使用される前記映像データにおける互いの映像位相を調整することで解消する映像位相調整手段を備えることを特徴とする請求項１０、１１、１２、１３、１４又は１５記載の映像システム。
【請求項１７】
前記映像表示画面が映像表示手段の画面で構成されることを特徴とする請求項１０、１１、１２、１３、１４、１５又は１６記載の映像システム。
【請求項１８】
前記映像表示画面が映像表示手段の画面上に構築されたサブ画面で構成されることを特徴とする請求項１０、１１、１２、１３、１４、１５又は１６記載の映像システム。
【請求項１９】
前記映像表示画面の各々が、映像表示手段の画面上にデザイン表示された複数の画面用窓枠の内側に各々対応して嵌め込まれた状態に構成されることを特徴とする請求項１８記載の映像システム。
【請求項２０】
前記映像表示手段が壁に組み込まれていることを特徴とする請求項１７、１８又は１９記載の映像システム。
【請求項２１】
ビデオカメラを回転移動させて撮影した映像データを得るように、ビデオカメラの撮影機能に回転機能を備えるとともに、前記請求項１１又は１２記載の映像システムの構成を備えることを特徴とする映像撮影装置。
【発明の詳細な説明】
【技術分野】
【０００１】
本発明は、映像表示方法及び映像システムに関する。
【背景技術】
【０００２】
従来、１台の写真機を使用して各方向に向けて撮った写真（静止画）を何枚か合成してパノラマ写真を制作することは一般的に行われてきた。
しかしながら、ビデオカメラで撮影した映像（動画）を合成してパノラマ映像を制作するためには、各方向に向けた複数台のビデオカメラで同時に撮影した映像を合成して制作する以外に他に方法がなかった。【０００３】
またこれに関係して、本発明者によって、映像を空間化するための映像システムとして一手法が開示されている（特許文献１参照）。この映像システムによれば、近接する位置において、別々の方向に向けて配設された複数の映像収録用カメラと、その複数の映像収録用カメラを用いて収録した映像を記録する映像記録媒体と、その該映像記録媒体の映像記録を再生する再生装置と、その再生装置によって再生された映像を、前記複数の映像収録用カメラの各方向に対応させた各位置で表示する複数の画面表示手段を具備する。
【特許文献１】特開平０９−１８７５７３号公報（図１７、［００６４］等）
【発明の開示】
【発明が解決しようとする課題】
【０００４】
本映像表示方法及び映像システムが解決しようとする課題は、１台のビデオカメラで撮影した映像（動画）を合成して視覚的に違和感のない連続したパノラマ映像を制作することを可能にすることであり、背景技術として前記した映像システム（特許文献１）における映像収録用カメラと映像表示手段との間に介在する拘束条件を解消することである。
介在する拘束条件とは、映像収録に複数のビデオカメラを必要とすること、及びこの収録映像を表示するための映像表示画面は、映像収録用ビデオカメラの撮影方向に一致させた各方向に配置されなければならないことである。
したがって、本発明の目的は、１台の映像収録用ビデオカメラで撮影した映像データを使用するだけで、複数の位置に任意に配置された映像表示画面に、その配置位置に対応した、視覚的に違和感のない最適な映像場面を、一体的に表示可能とする映像システムを提供することにある。
【課題を解決するための手段】
【０００５】
本発明は、上記目的を達成するために次の構成を備える。
本発明にかかる映像表示方法の一形態によれば、ビデオカメラを連続的に移動させて撮影した映像データを使用する映像表示画面の個数に応じて各々時間差をつけて重層的に再生し、複数の位置に任意に配置された映像表示画面に、各配置位置に対応した映像場面を、各々同期して連続的に表示する。
また、本発明にかかる映像表示方法の他の形態によれば、ビデオカメラを連続的に移動させて撮影した映像データを使用する映像表示画面の個数に応じて各々時間差をつけて重層的に再生し、該ビデオカメラの移動に同調する速度で任意の位置間隔で移動する複数の映像表示画面に、各移動位置に対応した映像場面を、各々同期して連続的に表示する。
【０００６】
また、本発明にかかる映像表示方法の他の形態によれば、ビデオカメラを連続的に移動させて撮影した映像データを使用する映像表示画面の個数に応じて各々時間差をつけて重層的に再生し、複数の位置に任意に配置された映像表示画面に、各配置位置に対応した映像場面の静止画像を、各々同期して連続的に表示するとともに、該ビデオカメラの移動に同調する速度で移動する映像表示画面に、移動位置に対応した映像場面を同時に表示する。
また、本発明にかかる映像表示方法の他の形態によれば、ビデオカメラを連続的に移動させて撮影した映像データを使用する映像表示画面の個数に応じて各々時間差をつけて重層的に再生し、該ビデオカメラの移動に同調する速度で任意の位置間隔で移動する複数の映像表示画面に、各移動位置に対応した映像場面の静止画像を、各々同期して連続的に表示するとともに、任意の位置に配置された映像表示画面に、配置位置に対応した映像場面を同時に表示する。
【０００７】
また、本発明にかかる映像表示方法の一形態によれば、ビデオカメラを撮影方向に交差する軸を中心に連続的に回転させて撮影した回転パノラマ映像の映像データを使用することを特徴とすることができる。
また、本発明にかかる映像表示方法の一形態によれば、別々の方向に向けた複数のビデオカメラを、撮影方向に交差する軸を中心に同時に同軸で連続的に回転させて撮影した回転パノラマ映像の各々のビデオカメラ個別の映像データを並列に使用することを特徴とすることができる。
【０００８】
また、本発明にかかる映像表示方法の一形態によれば、前記映像表示画面が映像表示手段の画面上に構築されたサブ画面で構成されることを特徴とすることができる。
また、本発明にかかる映像記録媒体の一形態によれば、前記の映像表示方法に基づいて編集された映像データが格納されていることを特徴とする。
【０００９】
また、本発明にかかる映像表示方法の一形態によれば、ビデオカメラを連続的に移動させて撮影した映像データをコンピュータシステムの映像記録媒体へ格納するステップと、前記映像データを重層的に使用して、前記の映像表示方法に基づいて、コンピュータシステムの演算処理装置によって編集し、編集映像データを得るステップと、前記編集映像データをコンピュータシステムのサーバに格納してウェブサイトで運用するステップとを有することを特徴とする。
【００１０】
また、本発明にかかる映像システムの一形態によれば、ビデオカメラを連続的に移動させて撮影した映像データが格納された映像記録媒体と、複数の映像表示画面と、前記映像記録媒体に格納された前記映像データを重層的に使用し、前記の映像表示方法に基づいて、前記映像表示画面に映像場面を表示させる映像再生手段とを具備する。
また、本発明にかかる映像システムの一形態によれば、前記の映像表示方法に基づく映像データの編集処理手続きがコンピュータシステムの演算処理装置にプログラムされ、前記ビデオカメラを連続的に移動させて撮影した映像データを該映像データが格納された映像記録媒体を介して前記コンピュータシステムに入力することで、前記編集処理手続きが自動的にプログラム実行され、編集映像データが複数の映像表示画面に出力表示されることを特徴とする。
また、本発明にかかる映像システムの一形態によれば、前記の映像表示方法に基づく映像データの編集処理手続きがコンピュータシステムの演算処理装置にプログラムされ、前記ビデオカメラを連続的に移動させて撮影した映像データを直接に前記コンピュータシステムに入力することで、前記編集処理手続きが自動的にプログラム実行され、編集映像データが複数の映像表示画面に撮影とリアルタイムで出力表示されることを特徴とする。
【００１１】
また、本発明にかかる映像システムの一形態によれば、前記映像表示画面の前方に配置され、該画面から所定の距離だけ離れた位置に該画面を望む窓を形成すべく枠状に設けられ、前記画面の前方において画面を見る者の眼の位置が移動する所定の範囲内では、前記窓の縁によって各々の表示画面の周縁部が隠されて前記窓内には前記画面以外が見えないように、前記窓の大きさが前記画面よりも小さく設けられた画面用窓枠を具備することを特徴とすることができる。
また、本発明にかかる映像システムの一形態によれば、前記画面用窓枠が画面方向に向かって該画面には至らない幅で伸びる折り返し壁を有し、該折り返し壁で囲まれる空間により前記窓が形成されていることを特徴とすることができる。
また、本発明にかかる映像システムの一形態によれば、視覚的に違和感のない連続した映像を表示すべく、接近して配置された前記映像表示画面に発生する互いの重複映像範囲を、前記画面用窓枠を用いて遮蔽したことを特徴とすることができる。
また、本発明にかかる映像システムの一形態によれば、視覚的に違和感のない連続した映像を表示すべく、接近して配置された前記映像表示画面に発生する互いの重複映像範囲を、重層的に使用される前記映像データにおける互いの映像位相を調整することで解消する映像位相調整手段を備えることを特徴とすることができる。【００１２】
また、本発明にかかる映像システムの一形態によれば、前記映像表示画面が映像表示手段の画面で構成されることを特徴とすることができる。
また、本発明にかかる映像システムの一形態によれば、前記映像表示画面が映像表示手段の画面上に構築されたサブ画面で構成されることを特徴とすることができる。
また、本発明にかかる映像システムの一形態によれば、前記映像表示画面の各々が、映像表示手段の画面上にデザイン表示された複数の画面用窓枠の内側に各々対応して嵌め込まれた状態に構成されることを特徴とすることができる。【００１３】
また、本発明にかかる映像システムの一形態によれば、前記映像表示手段が壁に組み込まれていることを特徴とすることができる。
また、本発明にかかる映像撮影装置の一形態によれば、ビデオカメラを回転移動させて撮影した映像データを得るように、ビデオカメラの撮影機能に回転機能を備えるとともに、前記の映像システムの構成を備えることを特徴とする。
【発明の効果】
【００１４】
本発明にかかる映像表示方法及び映像システムによれば、１台の映像収録用ビデオカメラで撮影した映像データを使用するだけで、複数の位置に任意に配置された映像表示画面に、その配置位置に対応した、視覚的に違和感のない、最適な映像場面を、自在に表示可能となるという特別有利な効果を奏する。
【図面の簡単な説明】
【００１５】
【図１】本映像システムの形態例を示すブロック図である。
【図２】１台のビデオカメラによる回転パノラマ映像の撮影状況を示す斜視図である。
【図３】複数のビデオカメラによる回転パノラマ映像の撮影状況を示す斜視図である。
【図４】１個の映像データからサークル状に映像表示する構成を示す平面図である。
【図５】２個の映像データからサークル状に映像表示する構成を示す平面図である。
【図６】１個の映像データからライン状に映像表示する構成を示す平面図である。
【図７】２個の映像データからライン状に映像表示する構成を示す平面図である。
【図８】薄型テレビに取り付けられた画面用窓枠の状態を示す説明図である。
【図９】映写スクリーンに画面用窓枠を取り付けた状態を示す説明図である。
【図１０】ビデオカメラの映像撮影視角の重複状況を示す説明図である。
【図１１】映像表示画面に発生する表示映像の重複状況を示す説明図である。
【図１２】サークル状配置における映像重複を画面用窓枠で遮蔽する説明図である。
【図１３】ライン状配置における映像重複を画面用窓枠で遮蔽する説明図である。
【図１４】映像重複を解消する調整映像位相差の状況を示す説明図である。
【図１５】サークル状配置における映像重複を映像位相調整で解消する説明図である。
【図１６】ライン状配置における映像重複を映像位相調整で解消する説明図である。
【図１７】映像表示手段の画面上に配置された映像表示画面の説明図である。
【図１８】画面上配置の映像表示画面に取り付けられた画面用窓枠の説明図である。
【図１９】映像表示手段がサークル状の壁に組み込まれた状況を示す説明図である。
【図２０】映像表示手段がライン状の壁に組み込まれた状況を示す説明図である。
【図２１】ビデオカメラと被写体との位置関係を示す説明図である。
【図２２】人間の目が眺める被写体風景を示す説明図である。
【図２３】ライン状に配置された場面映像の遠近補正の工程を示す説明図である。
【図２４】映像表示装置の形態例を示す表裏の３面図である。
【図２５】映像表示装置の画面に映像が表示された状態を示す正面図である。
【図２６】映像表示画面がサブ画面である場合の映像表示例を示す説明図である。
【図２７】動画と静止画が混在して表示された画面の形態例を示す正面図である。
【図２８】動画と静止画が混在して表示された画面の他の例を示す正面図である。
【符号の説明】
【００１６】
１  パノラマビュー
２  ビデオカメラ
３  ビデオカメラ回転駆動部
１１〜１８  映像表示画面
４０  映像表示手段
４１  映像表示画面
４２  画面用窓枠
７０  スペース
１００  映像撮影手段
２００  映像記録手段
３００  映像制御手段
４００  映像表示手段
５００  映像撮影手段の設定部
６００  映像制御手段の設定部
７００  映像表示手段の調整部
【発明を実施するための最良の形態】
【００１７】
以下、本発明にかかる映像表示方法及び映像システムの最良の形態例を、添付図面に基づいて詳細に説明する。【００１８】
図１は、本発明にかかる映像システムの形態例を示すブロック図である。
１００は映像撮影手段であり、映像を撮影するビデオカメラ装置、そのビデオカメラを移動させるための移動装置等で構成される。
２００は映像記録手段であり、映像撮影手段１００で撮影された映像データを記録・保存する装置、及びその映像データを格納する記録媒体等（ハードディスク、磁気テープ、フロッピ、ＣＤ、ＤＶＤ等）で構成される。
３００は映像制御手段であり、映像記録手段２００で記録・保存された映像データを配置された映像表示画面の個数に応じて重層的に再生し、かかる映像表示画面の配置状況に応じた再生映像位相の制御を行い、表示映像再生データを各々の映像表示画面に配信するコンピュータ装置等のデータ制御装置で構成される。
４００は映像表示手段であり、映像制御手段３００によって配信された表示映像再生データで映像表示される映像表示画面を構成するブラウン管テレビ、液晶テレビ、ＰＤＰテレビ、プロジェクションテレビ、プロジェクター装置等で構成される。【００１９】
５００は映像撮影手段の設定部であり、映像撮影手段１００におけるビデオカメラの移動方法、移動方向、移動速度、使用台数、配置方向等の設定を行う。
６００は映像制御手段の設定部であり、映像制御手段３００におけるコンピュータ装置等の制御装置に、映像表示画面の配置データや再生映像位相データを入力したり、表示された映像場面を調整する調整映像位相データ等の入力を行う。
７００は映像表示手段の調整部であり、視覚的に違和感のない安定した映像を表示するために、映像表示手段４００における各々の映像表示画面に再生表示された映像場面のバランスを調整したり、隣接した映像表示画面に発生する重複映像の解消等を行うべく、映像制御手段の設定部６００に調整映像位相データの調整量をフィードバックする。【００２０】
図２は、本発明にかかる映像システムの１台のビデオカメラによる回転パノラマ映像の撮影状況を示す斜視図である。
１はパノラマビュー、２はビデオカメラ、３はビデオカメラ回転駆動部である。ビデオカメラ回転駆動部３によって、撮影方向（水平方向）に直交する回転軸（鉛直回転軸）を中心にしてビデオカメラ２を所定の等速度で回転できる。このビデオカメラ２とビデオカメラ回転駆動部３によって、図１に示した映像撮影部１００が構成されている。ビデオカメラ２の回転速度は自由に調整できる。
これによれば、１台のビデオカメラによって回転パノラマ映像の撮影を行い、その映像データを得ることができる。【００２１】
図３は、本発明にかかる映像システムの複数のビデオカメラによる回転パノラマ映像の撮影状況を示す斜視図である。
１はパノラマビュー、２は第１のビデオカメラ、３はビデオカメラ回転駆動部、４は第２のビデオカメラである。ビデオカメラ回転駆動部３によって、２台のビデオカメラ２、４を同時に回転できる構成になっている。
これによれば、２台のビデオカメラ２、４によって回転パノラマ映像の撮影を行い、２つのビデオカメラ２、４個別の映像データを同時に得ることができる。さらにビデオカメラの台数は２個に限られず、本映像システムの運用状況によって、さらに多くの台数が使用される。【００２２】
図４は、１台のビデオカメラ２（図２参照）を撮影方向に交差する軸を中心に回転させて撮影した回転パノラマ映像の映像データを重層的に使用して、サークル状に配置された複数の映像表示画面に、各配置位置に対応した回転パノラマ映像の映像場面を、各々同期して連続的に表示する構成を示す平面図である。
１１、１２、１３、１４、１５、１６、１７及び１８は映像表示画面である。θは回転パノラマ映像の映像位相（及び映像表示画面の配置位相）を示す。Ｔは回転パノラマ映像の映像データにおける各映像位相場面の再生表示スタート時刻を示す。また、Ｖは回転パノラマ映像の回転方向を示す。
なお、各々の映像表示画面の配置は説明を容易にするために、４５度間隔でサークル状に配置し、回転パノラマ映像の各々の映像位相θ、及び映像データにおける各映像位相場面の再生表示スタート時刻Ｔは、ビデオカメラの回転速度を６０分／回とした場合の数値を示している。【００２３】
１個のビデオカメラを撮影方向に交差する軸を中心に回転させて撮影した回転パノラマ映像の映像データを重層的に使用するとは以下の構成をいう。
映像表示画面１１に再生表示される回転パノラマ映像の映像データの映像位相場面を基準スタート場面とすれば、映像表示画面１２には、同じ回転パノラマ映像の映像データを使用して、基準スタート場面から７．５分前の映像位相場面から再生表示をスタートさせ、映像表示画面１３には、同じ回転パノラマ映像の映像データを使用して、基準スタート場面から１５分前の映像位相場面から再生表示をスタートさせ、以下同様に、同じ回転パノラマ映像の映像データを使用して、基準スタート場面から、２２．５分前、３０分前、３７．５分前、４５分前、５２．５分前の映像位相場面から再生表示をスタートさせる。【００２４】
以上の構成により、各々の映像表示画面に再生表示される回転パノラマ映像の各々の映像位相場面は同期して連続的に６０分／回の速度で、一体的に表示されることになる。
本映像システムの利用者は、全方位の回転パノラマ映像の映像場面を同時に見ることで、各々の映像表示画面に表示される映像場面は、実際には撮影時刻における時間差があるものの、あたかもその各々の映像表示画面の配置方向に向けて、複数のビデオカメラで同時に撮影された映像が表示されているように感じるのである。
さらに換言すれば、本映像システムでは、映像表示画面の数よりも少ない数の映像データを重複的に用い、複数の映像が違和感なく合成されて、一体化された映像を得ることができるという特徴がある。【００２５】
また、各々の映像表示画面に表示される回転パノラマ映像の映像場面における撮影時刻の非同時性（時間差）は、別々の方向に向けた複数のビデオカメラを撮影方向に交差する軸を中心に、同時に同軸で回転させて撮影した回転パノラマ映像の各々のビデオカメラ個別の映像データを並列（パラレル）に使用する構成により、その時間差を減縮させることができる。
その形態例を、図５に基づいて以下に詳細に説明する。【００２６】
図５は、１８０度異なった方向に向けた２台のビデオカメラ２、４（図３参照）を撮影方向に交差する軸を中心に回転させて撮影した回転パノラマ映像の各々のビデオカメラ個別の映像データを並列に使用して、サークル状に配置した複数の映像表示画面に表示される回転パノラマ映像の各々の映像場面における撮影時刻の非同時性（時間差）を減縮させた映像システムの構成を示す平面図である。
２１、２２、２３及び２４は、第１のビデオカメラ２の撮影データを使用して表示する映像表示画面であり、３１、３２、３３及び３４は、第２のビデオカメラ４の撮影データを使用して表示する映像表示画面である。
θ１は第１のビデオカメラ２の回転パノラマ映像の映像位相を示し、Ｔ１は第１のビデオカメラ２の映像データを使用して表示する映像表示画面の再生表示スタート時刻を示す。θ２は第２ビデオカメラ４の回転パノラマ映像の映像位相を示し、Ｔ２は第２のビデオカメラ４の映像データを使用して表示する映像表示画面の再生表示スタート時刻を示す。また、Ｖは回転パノラマ映像の回転方向を示している。
なお、各々の映像表示画面の配置は説明を容易にするために、４５度間隔でサークル状に配置し、回転パノラマ映像の各々の映像位相θ１、θ２及び映像データにおける各映像位相場面の再生表示スタート時刻Ｔ１、Ｔ２は、１８０度異なった方向に向けた２台のビデオカメラ２、４を同時に同軸で回転速度６０分／回で回転させて撮影した場合の数値を示している。【００２７】
第１のビデオカメラ２で撮影された回転パノラマ映像の映像データから映像表示画面２１に再生表示される回転パノラマ映像の映像位相場面を基準スタート場面とすれば、映像表示画面２２には、同じ第１のビデオカメラ２で撮影された回転パノラマ映像の映像データを使用して、基準スタート場面から７．５分前の映像位相場面から再生表示をスタートさせ、映像表示画面２３には、同じ第１のビデオカメラ２で撮影された回転パノラマ映像の映像データを使用して、基準スタート場面から１５分前の映像位相場面から再生表示をスタートさせ、映像表示画面２４には、同じ第１のビデオカメラ２で撮影された回転パノラマ映像の映像データを使用して、基準スタート場面から２２．５分前の映像位相場面から再生表示をスタートさせる。
同様に、第２のビデオカメラ４で撮影された回転パノラマ映像の映像データから映像表示画面３１に再生表示される回転パノラマ映像の映像位相場面を基準スタート場面とすれば、映像表示画面３２には、同じ第２のビデオカメラ４で撮影された回転パノラマ映像の映像データを使用して、基準スタート場面から７．５分前の映像位相場面から再生表示をスタートさせ、映像表示画面３３には、同じ第２のビデオカメラ４で撮影された回転パノラマ映像の映像データを使用して、基準スタート場面から１５分前の映像位相場面から再生表示をスタートさせ、映像表示画面３４には、同じ第２のビデオカメラ４で撮影された回転パノラマ映像の映像データを使用して、基準スタート場面から２２．５分前の映像位相場面から再生表示をスタートさせる。【００２８】
以上の構成により、１台のビデオカメラで撮影した回転パノラマ映像の映像データを使用して再生表示された各々の映像位相場面に生じていた撮影時刻における非同時性（時間差）は半分に（最大で６０分の時間差から最大で３０分の時間差に）減縮される。【００２９】
図６は、１台のビデオカメラ２（図２参照）を撮影方向に交差する軸を中心に回転させて撮影した回転パノラマ映像の映像データを重層的に使用して、ライン状に配置された複数の映像表示画面に、配置位置に対応した回転パノラマ映像の映像場面を、各々同期して連続的に表示する構成を示す平面図である。
１１、１２、１３、１４、１５、１６、１７及び１８は映像表示画面である。θは回転パノラマ映像の映像位相を示す。Ｔは回転パノラマ映像の映像データにおける各映像位相場面の再生表示スタート時刻を示す。また、Ｖは回転パノラマ映像の進行方向を示す。
なお、各々の映像表示画面の配置は説明を容易にするために、等間隔でライン状に配置し、回転パノラマ映像の各々の映像位相θ、及び映像データにおける各映像位相場面の再生表示スタート時刻Ｔは、ビデオカメラの回転速度を６０分／回とした場合の数値を示している。【００３０】
映像表示画面１１に再生表示される回転パノラマ映像の映像データの映像位相場面を基準スタート場面とすれば、映像表示画面１２には、同じ回転パノラマ映像の映像データを使用して、基準スタート場面から７．５分前の映像位相場面から再生表示をスタートさせ、映像表示画面１３には、同じ回転パノラマ映像の映像データを使用して、基準スタート場面から１５分前の映像位相場面から再生表示をスタートさせ、以下同様に、同じ回転パノラマ映像の映像データを使用して、基準スタート場面から、２２．５分前、３０分前、３７．５分前、４５分前、５２．５分前の映像位相場面から再生表示をスタートさせる。【００３１】
これにより各々の映像表示画面に再生表示される回転パノラマ映像の各々の映像位相場面は同期して連続的に６０分／回の速度で、一体的に表示されることになる。（一般的に、このようにライン状に表示された回転パノラマは展開パノラマと呼ばれる。）【００３２】
図７は、１８０度異なった方向に向けた２台のビデオカメラ２、４（図３参照）を撮影方向に交差する軸を中心に回転させて撮影した回転パノラマ映像の各々のビデオカメラ個別の映像データを並列に使用して、ライン状に配置した複数の映像表示画面に表示される回転パノラマ映像の各々の映像場面における撮影時刻の非同時性（時間差）を減縮させた映像システムの構成を示す平面図である。
２１、２２、２３及び２４は、第１のビデオカメラ２の撮影データを使用して表示する映像表示画面であり、３１、３２、３３及び３４は、第２のビデオカメラ４の撮影データを使用して表示する映像表示画面である。
θ１は第１のビデオカメラ２の回転パノラマ映像の映像位相を示し、Ｔ１は第１のビデオカメラ２の映像データを使用して表示する映像表示画面の再生表示スタート時刻を示す。θ２は第２ビデオカメラ４の回転パノラマ映像の映像位相を示し、Ｔ２は第２のビデオカメラ４の映像データを使用して表示する映像表示画面の再生表示スタート時刻を示す。また、Ｖは回転パノラマ映像の進行方向を示している。
なお、各々の映像表示画面の配置は説明を容易にするために、等間隔でライン状に配置し、回転パノラマ映像の各々の映像位相θ１、θ２及び映像データにおける各映像位相場面の再生表示スタート時刻Ｔ１、Ｔ２は、１８０度異なった方向に向けた２台のビデオカメラ２、４を同時に同軸で回転速度６０分／回で回転させて撮影した場合の数値を示している。【００３３】
第１のビデオカメラ２で撮影された回転パノラマ映像の映像データから映像表示画面２１に再生表示される回転パノラマ映像の映像位相場面を基準スタート場面とすれば、映像表示画面２２には、同じ第１のビデオカメラ２で撮影された回転パノラマ映像の映像データを使用して、基準スタート場面から７．５分前の映像位相場面から再生表示をスタートさせ、映像表示画面２３には、同じ第１のビデオカメラ２で撮影された回転パノラマ映像の映像データを使用して、基準スタート場面から１５分前の映像位相場面から再生表示をスタートさせ、映像表示画面２４には、同じ第１のビデオカメラ２で撮影された回転パノラマ映像の映像データを使用して、基準スタート場面から２２．５分前の映像位相場面から再生表示をスタートさせる。
同様に、第２のビデオカメラ４で撮影された回転パノラマ映像の映像データから映像表示画面３１に再生表示される回転パノラマ映像の映像位相場面を基準スタート場面とすれば、映像表示画面３２には、同じ第２のビデオカメラ４で撮影された回転パノラマ映像の映像データを使用して、基準スタート場面から７．５分前の映像位相場面から再生表示をスタートさせ、映像表示画面３３には、同じ第２のビデオカメラ４で撮影された回転パノラマ映像の映像データを使用して、基準スタート場面から１５分前の映像位相場面から再生表示をスタートさせ、映像表示画面３４には、同じ第２のビデオカメラ４で撮影された回転パノラマ映像の映像データを使用して、基準スタート場面から２２．５分前の映像位相場面から再生表示をスタートさせる。【００３４】
以上の構成により、１台のビデオカメラで撮影した回転パノラマ映像の映像データを使用して再生表示された各々の映像位相場面に生じていた撮影時刻における非同時性（時間差）は半分に（最大で６０分の時間差から最大で３０分の時間差に）減縮される。【００３５】
次に、映像表示画面に表示される表示映像の空間的な臨場感を向上させる画面用窓枠の構成について説明する。
画面用窓枠とは、映像表示画面の前方に配置され、画面から所定の距離だけ離れた位置に画面を望む窓を形成すべく枠状に設けられ、画面の前方において画面を見る者の眼の位置が移動する所定の範囲内では、窓の縁によって各々の表示画面の周縁部が隠されて窓内には表示画面以外が見えないように、窓の大きさが表示画面よりも小さく設けられている構成をいう。【００３６】
図８は、映像表示手段の一例である薄型テレビに取り付けられた画面用窓枠の状態を示す説明図（断面図及び正面図）である。
４０は薄型テレビ、４１は映像表示画面、４２は画面用窓枠である。Ａは映像表示画面のサイズ、ａは画面用窓枠のサイズ、Ｌは窓枠と表示画面との間隔、ｔは窓枠の折り返し壁の幅を示す。また、ＳＲは右移動視点、ＳＬは左移動視点、θＲは右移動視点の視角、θＬは左移動視点の視角、ＶＲは右移動視点の視角映像、ＶＬは左移動視点の視角映像を示す。【００３７】
映像表示画面に、画面用窓枠を取り付ければ、画面用窓枠で表示画面の周縁部が隠されることで、画面用窓枠の内周縁部において、眺める者の視覚に両眼視差が発生し、表示映像に立体感が発生する。また、眺める者の視点移動にともない、画面用窓枠の内周縁でそれまで隠されていた表示映像が見えてくることで、視野の広がりを感じる。さらに、画面方向に向かって伸びる窓枠の折り返し壁の幅（ｔ）により、窓枠と表示画面との前後的遠近感を感じる。
本映像システムの映像表示画面に、画面用窓枠を取り付ければ、以上の視覚効果により、現実の窓から眺めるような、奥行きのある映像を感受することができ、回転パノラマ映像の空間的な臨場感は向上する。【００３８】
図９は、映像表示手段の一例である映写スクリーンの映像表示画面に画面用窓枠を取り付けた状態を示す説明図（断面図）である。
４０Ａは映写スクリーン、４１は映像表示画面、４２は画面用窓枠、４３はプロジェクターである。Ａ１は映写スクリーン表示画面のサイズ、ａは画面用窓枠のサイズ、Ｌは窓枠と表示画面との間隔、ｔは窓枠の折り返し壁の幅、θＡはプロジェクターの映像投影角を示す。
映像を投影するプロジェクターの投影角θＡを調整することで画面用窓枠によって投影映像が遮られることなく映像表示画面である映写スクリーンに表示することができる。さらに、映写スクリーンによる映像表示画面は大画面化が容易であり、この大画面に画面用窓枠を取り付けることで、映像の空間的な臨場感はさらに向上し、迫力ある回転パノラマ映像が表示可能である。【００３９】
次に、接近して配置された各々の映像表示画面に発生する重複映像を解消し、視覚的に違和感のない連続した回転パノラマ映像を表示する構成について説明する。【００４０】
図１０は、接近して配置された映像表示画面に発生するビデオカメラの映像撮影視角の重複状況を示す説明図である。各符号の説明は、以下の通りである。
θ：中央の映像表示画面に表示される回転パノラマ映像の映像位相
−θα：右の映像表示画面に表示される回転パノラマ映像の映像位相差
θ−θα：右の映像表示画面に表示される回転パノラマ映像の映像位相
＋θα：左の映像表示画面に表示される回転パノラマ映像の映像位相差
θ＋θα：左の映像表示画面に表示される回転パノラマ映像の映像位相
Ｐ１：右の映像表示画面に表示される映像位相（θ−θα）の場面映像
Ｐ２：中央の映像表示画面に表示される映像位相（θ）の場面映像
Ｐ３：左の映像表示画面に表示される映像位相（θ＋θα）の場面映像
θＶ：ビデオカメラの映像撮影視角
θｄ：互いの映像表示画面に発生するビデオカメラの映像撮影視角の重複範囲【００４１】
図１１は接近して配置された映像表示画面に発生する表示映像の重複状況を示す説明図である。各符号の説明は、以下の通りである。
θ：中央の映像表示画面に表示される回転パノラマ映像の映像位相  
−θα：右の映像表示画面に表示される回転パノラマ映像の映像位相差
θ−θα：右の映像表示画面に表示される回転パノラマ映像の映像位相
＋θα：左の映像表示画面に表示される回転パノラマ映像の映像位相差
θ＋θα：左の映像表示画面に表示される回転パノラマ映像の映像位相
ＰＳ１：右の映像表示画面に表示される重複しない映像位相（θ−θα）の場面映像
ＰＳ２：中央の映像表示画面に表示される重複しない映像位相（θ）の場面映像
ＰＳ３：左の映像表示画面に表示される重複しない映像位相（θ＋θα）の場面映像
θＳ１：映像位相（θ−θα）の重複しないビデオカメラの映像撮影視角
θＳ２：映像位相（θ）の重複しないビデオカメラの映像撮影視角
θＳ３：映像位相（θ＋θα）の重複しないビデオカメラの映像撮影視角
θｄ：互いの映像表示画面に発生するビデオカメラの映像撮影視角の重複範囲
Ｐｄ：互いの映像表示画面に発生する表示映像の重複範囲【００４２】
図１１に示したような接近して配置された各々の映像表示画面に発生する重複映像を、画面用窓枠を使用して遮蔽し、視覚的に違和感のない連続した回転パノラマ映像を表示することができる。
その形態例を図１２及び図１３に示す。【００４３】
図１２は、接近してサークル状に配置された映像表示画面に発生する互いの映像重複範囲を、画面用窓枠を用いて遮蔽し、視覚的に違和感のない連続した回転パノラマ映像を表示する構成を示す説明図（断面図）である。各符号の説明は、以下の通りである。
θ：中央の映像表示画面に表示される回転パノラマ映像の映像位相  
−θα：右の映像表示画面に表示される回転パノラマ映像の映像位相差
θ−θα：右の映像表示画面に表示される回転パノラマ映像の映像位相
＋θα：左の映像表示画面に表示される回転パノラマ映像の映像位相差
θ＋θα：左の映像表示画面に表示される回転パノラマ映像の映像位相
ＰＳ１：右の映像表示画面に表示される重複しない映像位相（θ−θα）の場面映像
ＰＳ２：中央の映像表示画面に表示される重複しない映像位相（θ）の場面映像
ＰＳ３：左の映像表示画面に表示される重複しない映像位相（θ＋θα）の場面映像
θＳ１：映像位相（θ−θα）の重複しないビデオカメラの映像撮影視角
θＳ２：映像位相（θ）の重複しないビデオカメラの映像撮影視角
θＳ３：映像位相（θ＋θα）の重複しないビデオカメラの映像撮影視角
θｄ：互いの映像表示画面に発生するビデオカメラの映像撮影視角の重複範囲
Ｐｄ：互いの映像表示画面に発生する表示映像の重複範囲
４０：映像表示手段
４１：映像表示画面
４２：画面用窓枠【００４４】
図１３は、接近してライン状に配置された映像表示画面に発生する互いの映像重複範囲を、画面用窓枠を用いて遮蔽し、視覚的に違和感のない連続した回転パノラマ映像を表示する構成を示す説明図（断面図）である。各符号の説明は、以下の通りである。
θ：中央の映像表示画面に表示される回転パノラマ映像の映像位相  
−θα：右の映像表示画面に表示される回転パノラマ映像の映像位相差
θ−θα：右の映像表示画面に表示される回転パノラマ映像の映像位相
＋θα：左の映像表示画面に表示される回転パノラマ映像の映像位相差
θ＋θα：左の映像表示画面に表示される回転パノラマ映像の映像位相
ＰＳ１：右の映像表示画面に表示される重複しない映像位相（θ−θα）の場面映像
ＰＳ２：中央の映像表示画面に表示される重複しない映像位相（θ）の場面映像
ＰＳ３：左の映像表示画面に表示される重複しない映像位相（θ＋θα）の場面映像
θＳ１：映像位相（θ−θα）の重複しないビデオカメラの映像撮影視角
θＳ２：映像位相（θ）の重複しないビデオカメラの映像撮影視角
θＳ３：映像位相（θ＋θα）の重複しないビデオカメラの映像撮影視角
θｄ：互いの映像表示画面に発生するビデオカメラの映像撮影視角の重複範囲
Ｐｄ：互いの映像表示画面に発生する表示映像の重複範囲
４０：映像表示手段
４１：映像表示画面
４２：画面用窓枠【００４５】
また、本映像システムでは、各々の映像表示画面に表示する映像場面の映像位相を自由に制御することができるため、接近して配置された各々の映像表示画面に発生する重複映像を、表示映像場面の映像位相を調整することで解消し、視覚的に違和感のない連続した回転パノラマ映像を表示することができる。
その形態例を図１４〜１６に基づいて説明する。【００４６】
図１４は、接近して配置された映像表示画面に発生する映像重複範囲を解消する回転パノラマ映像の調整映像位相差の状況を示す説明図である。各符号の説明は、以下の通りである。
θ：中央の映像表示画面に表示される回転パノラマ映像の映像位相  
−θα：右の映像表示画面に表示される回転パノラマ映像の映像位相差
θ−θα：右の映像表示画面に表示される回転パノラマ映像の映像位相
＋θα：左の映像表示画面に表示される回転パノラマ映像の映像位相差
θ＋θα：左の映像表示画面に表示される回転パノラマ映像の映像位相
−θｄ：右の映像表示画面に表示される回転パノラマ映像の調整映像位相差
＋θｄ：左の映像表示画面に表示される回転パノラマ映像の調整映像位相差
ＰＳ１：右の映像表示画面に表示される
映像重複範囲を解消した映像位相（θ−θα−θｄ）の場面映像
Ｐ２：中央の映像表示画面に表示される映像位相（θ）の場面映像
ＰＳ３：左の映像表示画面に表示される
映像重複範囲を解消した映像位相（θ＋θα＋θｄ）の場面映像
θＶ：ビデオカメラの映像撮影視角【００４７】
図１５は、接近してサークル状に配置された映像表示画面に発生する互いの映像重複範囲を回転パノラマ映像の映像位相を調整することで解消し、視覚的に違和感のない連続した回転パノラマ映像を表示する構成を示す説明図（断面図）である。各符号の説明は、以下の通りである。
θ：中央の映像表示画面に表示される回転パノラマ映像の映像位相  
−θα：右の映像表示画面に表示される回転パノラマ映像の映像位相差
−θｄ：右の映像表示画面に発生する映像重複範囲を解消するための調整映像位相
＋θα：左の映像表示画面に表示される回転パノラマ映像の映像位相差
＋θｄ：左の映像表示画面に発生する映像重複範囲を解消するための調整映像位相
ＰＳ１：右の映像表示画面に表示される
映像重複範囲を解消した映像位相（θ−θα−θｄ）の場面映像
Ｐ２：中央の映像表示画面に表示される映像位相（θ）の場面映像
ＰＳ３：左の映像表示画面に表示される
映像重複範囲を解消した映像位相（θ＋θα＋θｄ）の場面映像
θＶ：ビデオカメラの映像撮影視角
４０：映像表示手段
４１：映像表示画面【００４８】
図１６は、接近してライン状に配置された映像表示画面に発生する互いの映像重複範囲を回転パノラマ映像の映像位相を調整することで解消し、視覚的に違和感のない連続した回転パノラマ映像を表示する構成を示す説明図（断面図）である。各符号の説明は、以下の通りである。
θ：中央の映像表示画面に表示される回転パノラマ映像の映像位相  
−θα：右の映像表示画面に表示される回転パノラマ映像の映像位相差
−θｄ：右の映像表示画面に発生する映像重複範囲を解消するための調整映像位相
＋θα：左の映像表示画面に表示される回転パノラマ映像の映像位相差
＋θｄ：左の映像表示画面に発生する映像重複範囲を解消するための調整映像位相
ＰＳ１：右の映像表示画面に表示される
映像重複範囲を解消した映像位相（θ−θα−θｄ）の場面映像
Ｐ２：中央の映像表示画面に表示される映像位相（θ）の場面映像
ＰＳ３：左の映像表示画面に表示される
映像重複範囲を解消した映像位相（θ＋θα＋θｄ）の場面映像
θＶ：ビデオカメラの映像撮影視角
４０：映像表示手段
４１：映像表示画面【００４９】
また、本映像システムは、映像表示画面が複数の位置に配置された映像表示手段の各画面で構成されるだけではなく、映像表示手段の画面上において構築され、複数の位置に配置された各サブ画面（ウィンドウ画面）でも構成される。
この構成により、１台の映像表示手段であっても、回転パノラマ映像の映像表示が可能になるとともに、コンピュータ画面をモニターしながら、本映像システムの制御及び編集等の処理が一体的に実施可能となる。
これにより、本映像システムの機能はさらに高度化され、応用性が向上する。
その形態例を図１７及び図１８に示す。【００５０】
図１７は、映像表示手段の画面上に配置された複数の映像表示画面（ウィンドウ画面）で表示される回転パノラマ映像の構成を示す説明図（断面図及び正面図）である。各符号の説明は、以下の通りである。
４０：映像表示手段
４１：映像表示手段の画面上に配置された映像表示画面（ウィンドウ画面）
４３：映像表示手段の全画面
Ａ：映像表示画面（ウィンドウ画面）のサイズ
θ１：右の映像表示画面（ウィンドウ画面）の表示映像位相
θ２：中央の映像表示画面（ウィンドウ画面）の表示映像位相
θ３：左の映像表示画面（ウィンドウ画面）の表示映像位相
θＶ：ビデオカメラの映像撮影視角【００５１】
図１８は、映像表示手段の画面上に配置された複数の映像表示画面（ウィンドウ画面）に取り付けられた画面用窓枠の構造を示す説明図（断面図及び正面図）である。各符号の説明は、以下の通りである。
４０：映像表示手段
４１：映像表示手段の画面上に配置された映像表示画面（ウィンドウ画面）
４２：画面用窓枠
Ａ：映像表示画面（ウィンドウ画面）のサイズ
ａ：画面用窓枠のサイズ
Ｌ：窓枠と表示画面との間隔
ｔ：窓枠の折り返し壁の幅
θ１：右の映像表示画面（ウィンドウ画面）の表示映像位相
θ２：中央の映像表示画面（ウィンドウ画面）の表示映像位相
θ３：左の映像表示画面（ウィンドウ画面）の表示映像位相
θＳ：窓からの視野（視角）【００５２】
また、本映像システムは、映像表示手段を壁に組み込むことで、回転パノラマ映像の映像空間的な臨場感を、現実の生活空間の中でさまざまに応用展開することが可能となる。
さらに、使用される映像データを、用途に応じて適宜選択的に変えることで、室内外の環境条件や雰囲気等を自在に創造したり、変換することができる。
その形態例を図１９及び図２０に示す。
図１９は映像表示手段がサークル状の壁に組み込まれ、さらに画面用窓枠が取り付けられた状況を示す説明図（断面図）である。４０は映像表示手段、４２は画面用窓枠、５０はサークル状に形成された壁である。
図２０は映像表示手段がライン状の壁に組み込まれ、さらに画面用窓枠が取り付けられた状況を示す説明図（断面図）である。４０は映像表示手段、４２は画面用窓枠、５０はライン状に形成された壁である。【００５３】
本映像システムで記載された映像とは、当然にして、その映像に付帯する音響も含まれる概念であり、映像表示手段とは、薄型テレビ（液晶テレビ・ＰＤＰテレビ・プロジェクションテレビ等）、プロジェクター（スクリーン投影）等々が代表的に考えられる。【００５４】
本映像システムにおける回転パノラマ映像の再生表示方法は、撮影された回転パノラマ映像の１回転分の映像データをエンドレスに再生表示する方法、１回転分の映像データの１部を再生表示する方法、数回転分の映像データを再生表示する方法、ライブカメラのようにリアルタイムで撮影しながら収録映像データを順次再生表示（プレイバック）する方法等、本発明の精神を逸脱しない範囲で改変を施し得る。【００５５】
また、本映像システムにおける映像撮影方法は、ビデオカメラを撮影方向に交差する軸を中心に回転させて撮影するにとどまらず、用途により回転軸は自在に選択できる。また撮影用ビデオカメラも一般風景撮影用のビデオカメラを使用するにとどまらず、ミクロ世界を撮影するマイクロビデオカメラを使用する等、本発明の精神を逸脱しない範囲で改変を施し得る。【００５６】
さらに、本映像システムの説明では、ビデオカメラの撮影方向を回転させて撮影した回転パノラマ映像の映像データを重層的に使用する形態例を記載したが、撮影の方法はビデオカメラの撮影方向を回転させることのみに限定されるのではなく、ビデオカメラを任意な軌跡で移動させて撮影した映像データを重層的に使用して、同様に複数の位置に任意に配置された映像表示画面に、配置位置に対応した映像場面を、各々同期して連続的に表示する等、本発明の精神を逸脱しない範囲で改変を施し得る。【００５７】
次に、本発明にかかる映像表示方法及び映像システムの映像場面（画像）の補正方法について、その一例を説明する。
標準的な人の目の横方向の視野角は、約２００度（片目だと約１６０度）である。本映像表示方法及び映像システムを使用して、この人間の目の視野角と同じで、しかも違和感のない広視野角映像を、連続してライン状に配置した複数の映像表示画面で表示する映像表示方法及び映像システムについて以下に説明する。
説明は３つの映像表示画面を用いた場合で記述する。【００５８】
図２１は本発明に係る映像表示方法及び映像システムの一形態を説明するビデオカメラと被写体との位置関係を示す撮影状況の説明図である。
各符号は以下を示す。
１ａ：建物、１ｂ：街路樹、１ｃ：街路、２：ビデオカメラ
θＡ：撮影視野角場面の位相差
θＳ：使用ビデオカメラの撮影視野角（θS＝θＡ）
Ｃ１：第1の撮影視野角場面、Ｃ２：第２の撮影視野角場面、Ｃ３：第３の撮影視野角場面
θＴＬ：第２の撮影視野角場面に対する第１の撮影視野角場面の傾き
θＴＲ：第２の撮影視野角場面に対する第３の撮影視野角場面の傾き
（θＴＬ＝θＡ、θＴＲ＝θＡ）
Ｒ：ビデオカメラの回転【００５９】
図２２は、図２１のビデオカメラの設置位置において人間の目がとらえる被写体風景を示す説明図である。【００６０】
図２３（ａ）は、図２１の撮影状況で撮影した映像データをもとに、本発明に係る映像表示方法及び映像システムの一形態である複数の映像表示画面をライン状に配置した場合の各映像表示画面の場面映像の状況を示す説明図である。
画面６には、図２１に示す被写体の正面に位置するＣ２（第２の撮影視野角場面）場面が、画面５には、被写体の左方向正面に位置するＣ１（第１の撮影視野角場面）場面が、画面７には、被写体の右方向正面に位置するＣ３（第３の撮影視野角場面）場面が表示されている。
画面６のＣ２場面には、人間の目でとらえられるのと同じ風景場面が表示されるが、画面５、画面７には、撮影視野角場面の位相差θＡ角度に伴った左右方向の遠近風景場面が表示される。
これらの画面風景は撮影視野角場面の位相差θＡ角度に応じた方向に各映像表示画面をサークル状（放射状）に配置した場合には違和感が発生しないが、図２３（ａ）に示すようにライン状（一列状）に各映像表示画面を配置した場合は違和感を発生する。
各符号は以下を示す。
Ｃ１：第１の撮影視野角場面、Ｃ２：第２の撮影視野角場面、Ｃ３：第３の撮影視野角場面
５：Ｃ１（第１の撮影視野角場面）を表示する映像表示画面
６：Ｃ２（第２の撮影視野角場面）を表示する映像表示画面
７：Ｃ３（第３の撮影視野角場面）を表示する映像表示画面【００６１】
図２３（ａ）に示すような違和感を解消するため、画面５のＣ１（第１の撮影視野角場面）場面と画面７のＣ３（第３の撮影視野角場面）場面の表示映像に、図２３（ｂ）に示すように以下の補正を加える。
図２３（ｂ）は、ライン状に配置された表示画面における表示映像補正の説明図である。
画面５のＣ１（第１の撮影視野角場面）場面の表示映像に左回転方向（Ｃ１場面映像の遠近方向と逆方向）の遠近補正（パース補正）θＬを加え、画面７のＣ３（第３の撮影視野角場面）場面の表示映像に右回転方向（Ｃ３場面映像の遠近方向と逆方向）の遠近補正（パース補正）θＲを加える。
画面５ＡのＣＬは左回転方向の遠近補正を加えた第１の撮影視野角場面の表示映像を、画面７ＡのＣＲは右回転方向の遠近補正を加えた第３の撮影視野角場面の表示映像を示す。
また各遠近補正量（補正角）θＬ、θＲには以下の関係がある。
θＬ＝θＲ＝ｋ×θＡ
各遠近補正量（補正角）θL、θRは、各撮影視野角場面の位相差θＡの大きさに比例する。またθＡ＝θＳ＝θＴＬ＝θＴＲの関係があるから、撮影視野角の大きなビデオカメラを使用すればするほど各撮影視野角場面の位相差θＡが大きくなるとともに、中央の撮影視野角場面に対する左右の撮影視野角場面の傾きθＴＬ、θＴＲも大きくなり、従って左右の各撮影視野角場面映像に加える遠近補正量は大きくなる。
各符号は以下を示す。
θＬ：画面５のＣ１場面映像に加える左回転の遠近補正
θＲ：画面７のＣ３場面映像に加える右回転の遠近補正
５Ａ：遠近補正された映像表示画面５
７Ａ：遠近補正された映像表示画面７
ＣＬ：遠近補正されたＣ１場面映像
ＣＲ：遠近補正されたＣ３場面映像
ｋ：比例定数
θＡ：撮影視野角場面の位相差
θＳ：使用ビデオカメラの撮影視野角
θＴＬ：第２の撮影視野角場面に対する第１の撮影視野角場面の傾き
θＴＲ：第２の撮影視野角場面に対する第３の撮影視野角場面の傾き【００６２】
図２３（ｃ）は、Ｃ１（第１の撮影視野角場面）の表示映像に加えた遠近補正映像ＣＬの表示画面５ＡとＣ３（第３の撮影視野角場面）の表示映像に加えた遠近補正映像ＣＲの表示画面７Ａを、それぞれ画面５と画面７の画面サイズで切り取って（斜線部分をカットして）、それぞれ表示場面映像Ｃ１Ｓと表示場面映像Ｃ３Ｓとした状況を示す説明図である。
図２３（ａ）の各表示画面の映像場面Ｃ１、Ｃ２、Ｃ３の構成は、図２３（ｃ）の各表示画面の映像場面Ｃ１Ｓ、Ｃ２、Ｃ３Ｓの構成となる。これによりライン状に配置された映像表示画面の構成であっても、人間の目によってとらえられるのと同じ違和感のない広視野角映像が表示される。すなわち、これによれば、連続的に配された複数の映像表示画面において表示される各映像場面について、基準となる映像場面（Ｃ２）を除き、好適に遠近補正がなされている。
各符号は以下を示す。
Ｃ１Ｓ：５の画面サイズで切り取った遠近補正されたＣＬ場面映像
Ｃ３Ｓ：７の画面サイズで切り取った遠近補正されたＣＲ場面映像【００６３】
以上に記載の映像表示方法に用いられる映像記録媒体としては、複数の映像場面（第1の撮影視野角場面Ｃ１、第２の撮影視野角場面Ｃ２、第３の撮影視野角場面Ｃ３）が合成されて一体的に表示されるように、重層的に映像データが合成されて一体的に格納されているものを用いることができる。
これによれば、広い視野角に合成された映像データを、ＣＤやＤＶＤ等の映像記録媒体に複製し、頒布することができる。【００６４】
次に、以上に説明した映像を、インターネット技術によって配信する映像表示方法について説明する。
第１のステップは、ビデオカメラを移動させて撮影した映像データをコンピュータシステムの映像記録媒体へ格納する。例えば、発注者が自ら撮影した映像データを、インターネットを利用してオンラインで、又はＣＤ等の記録媒体を利用し、受注者へ送り、その受注者のコンピュータシステムの映像記録媒体へ格納する。
第２のステップは、前記映像データを重層的に使用して、複数の位置に任意に配置された映像表示画面に、各配置位置に対応した映像場面を、各々同期して連続的に表示させるように、コンピュータシステムの演算処理装置によって調整し、編集映像データを得る。例えば、前記受注者のコンピュータシステムによって、映像データが編集・制作される。
第３のステップは、前記編集映像データをコンピュータシステムのサーバに格納してウェブサイトで運用する。例えば、前記受注者のコンピュータシステムのサーバで編集映像データが管理され、そのサーバとリンクされた発注者のホームページで、編集映像データが表示される。【００６５】
また、前記編集映像データを得る第２のステップにおいては、連続的に配された前記複数の映像表示画面において表示される前記各映像場面について、基準となる映像場面を除き、遠近補正がなされるように、コンピュータシステムの演算処理装置によって調整するとよい。
これによれば、一平面による映像表示手段の画面上で、遠近感の違和感のない広角な映像を簡単に得ることができる。つまり、魚眼レンズによって得られる広角な映像は、その映像に歪みが生じるため違和感を生じる。
また、複数のビデオカメラを同時に用いて撮影した映像データによれば、違和感のない広角な映像を得ることができる。しかし、装置が複雑となって、簡単に撮影することができない。これに対して本発明によれば、一つのビデオカメラの撮影視野角による回転等の移動映像データから、複数の撮影視野角を合成した広角の映像を簡単に得ることができる。つまり、本発明によれば、連続的に配された複数の映像表示画面において、各映像表示画面の位置に対応させ、一つの移動映像データを、映像位相的時差をつけて再生表示する。見る者は、時差のある複数の映像場面の結合であるにもかかわらず、あたかも一体の広角な映像場面のように錯覚する。これにより、一つの移動映像データから違和感のない広角な映像を得ることができる。【００６６】
次に、図２４及び図２５に基づいて、映像表示装置の画面上での映像表示の形態例について説明する。図２４（ａ）は、画面に窓枠が表示された状態を示す映像表示装置の正面側から見た３面図であり、図２４（ｂ）は、映像表示装置の背面側から見た３面図である。また、図２５は、映像表示装置の画面に映像が表示された状態を示す正面図である。
これによれば、映像表示画面の各々が、映像表示手段の画面上にデザイン表示された複数の画面用窓枠の内側に各々対応して嵌め込まれた状態に構成され、その複数の映像表示画面には本発明の映像表示方法に基づいて、各々の映像場面が連続するとともに、映像表示画面の配列方向に一体的に移動する広視野角映像が表示される。
この一体的に移動する広視野角映像を一定の距離を離間して眺めると表示映像から立体感が発生する。この立体感は、物体が３次元立体像として飛び出すように感じる立体感ではなく、画面用窓枠の向こう側に現実の空間が広がっているように感じる立体感（空間的臨場感）である。【００６７】
この立体感は、以下の構成要件に基づいて観察者が感じる「両眼視差」から生まれる。
１）一定の離間距離をもって表示画面を眺める観察者の両眼の配列方向と同方向に複数の画面用窓枠（映像表示画面）が配列され、２）その配列された複数の画面用窓枠（映像表示画面）に表示された連続して一体的な映像場面が、３）両眼の配列方向と平行に一体的に移動する。
発生する立体感は、配置される画面用窓枠（映像表示画面）の個数が増加するほど、また、表示される一体的な映像場面の移動速度が大きくなるほど、眺める観察者が得る両眼視差が大きくなり、より増大する。
画面用窓枠（映像表示画面）の形状（縦横比）やサイズ、配置間隔等は、映像場面の移動速度や、眺める観察者の視点と表示画面との離間距離等に応じて、両眼視差の視覚効果が最大になるように設定される。
また、隣り合う画面用窓枠間のスペース７０によって、各々の映像表示画面に表示される映像場面の継ぎ目が隠されることで、違和感のない広視野角の連続風景が表示される。
さらに、画面用窓枠（映像表示画面）の配列方向に動く被写体が、各々の映像表示画面の継ぎ目部分で映像位相的時差によって連続しないことによる違和感も、この隣り合う画面用窓枠の間のスペース７０によって解消される。
以上の立体感は、各々の映像表示画面が映像表示手段の画面上に構築されたサブ画面で構成された映像表示装置に限定されるものではなく、各々の映像表示画面が映像表示手段の画面で構成される映像表示装置であっても好適に発生する。例えば、複数の薄型テレビを適宜な間隔をもって配置し、前記した立体感発生のための構成要件を整えれば、同様に空間的な立体感が発生する。【００６８】
さらに、図８、図１８で示した物理的な画面用窓枠に基づく両眼視差による映像立体感の視覚効果を併用すれば、それぞれの両眼視差が加算され、映像の空間的立体感はさらに向上する。
また、使用される映像も、本発明の映像表示方法に基づいて編集された重層的な映像に限定されるものではなく、要は映像場面が移動する映像（動画、あるいは静止画）であればよく、ひとつの表示映像を、複数の画面用窓枠（表示装置にデザイン表示された画面用窓枠、あるいは表示装置に取り付けられた物理的な画面用窓枠)で覆うようにマスクし、前記した立体感発生の構成要件を満たせば、同様に空間的な立体感が発生する。
さらに、映像場面の移動は、映像場面と画面用窓枠の相対的な移動であり、一般的には画面用窓枠が固定して、映像場面が移動する方法が採用されるが、逆に映像場面が固定して、画面用窓枠が移動する方法も採用される。【００６９】
さらに、図２５に示すように、映像表示と共に、文字情報を表示することもできる。
この場合、文字は、一般的に、左から右へ読むように表記されるため、画面上においては右から左へ移動するように表示される。これに対して、移動する映像場面も、右から左へ流れるように表示されると、見る者は文字情報と映像情報を共に無理なく得ることができる。【００７０】
次に、本発明にかかる映像表示方法及び映像システムの他の形態例について説明する。
先ず、以下に説明する形態例について、その着眼点を解説する。
本映像表示方法及び映像システムにおける表示映像には次の「２つの動き」が内蔵されている。
１つは、ビデオカメラを移動させて撮影することで発生する映像表示画面に表示される「場面（シーン）移動」の動きであり、他の１つは、その移動する場面内で動く「被写体そのものの動き」である。
前者のビデオカメラ移動に起因する映像表示画面の場面の動きは、ビデオカメラを右移動させた場合、場面の左移動となって現れ、逆に、ビデオカメラを左移動させた場合、場面の右移動となって現れる。
他方、後者の被写体そのものの動きは、かかるビデオカメラ移動によって現れる場面移動の動きの上に乗った状態で繰り広げられる動きとして現れる。【００７１】
これら２つの動きの構図は、通過する列車内における乗客の動きを列車外の静止した地面から眺める構図と等価である。つまり、ビデオカメラ移動によって映像表示画面に現れる場面移動の動きが列車の動きにあたり、列車内の乗客の動きが移動する場面内で動く被写体そのものの動きにあたる。
列車内の乗客の動きは、列車外の静止した地面で眺める観察者からは、通過する列車の動きと乗客そのものの動きが合成（加算）された運動としてとらえられる。
請求項１に記載された発明（「ビデオカメラを移動させて撮影した映像データを重層的に使用して、複数の位置に任意に配置された映像表示画面に、各配置位置に対応した映像場面を、各々同期して連続的に表示することを特徴とする映像表示方法。」）は、以上の構図における観察者の視点で構築されたものである。【００７２】
次に、列車外の静止した地面でこれらの運動を眺めていた観察者が、かかる通過する列車の進行方向の動きに同調して、列車と同速度で移動しながら列車内の乗客の動きを眺めた場合を考えると、列車の動きは相殺（ネグレクト）され、かかる観察者からは単なる乗客の動きだけが観察されることが理解される。
この構図を本映像表示方法及び映像システムに等価的に適用すると、列車の進行方向の動きに同調して、列車と同速度で移動する観察者の動きは、「映像表示画面の動き」に置換される。
従って、映像表示画面を、撮影時におけるビデオカメラ移動の動きに同調して、同速度で移動させれば、発生していた場面移動の動きは相殺（ネグレクト）され、場面の位置は固定され、被写体そのものの動きだけが映像表示画面に表示されることになる。【００７３】
以上の構図から、本映像表示方法及び映像システムにおける他の形態例の本質は、請求項２に記載された発明（「ビデオカメラを移動させて撮影した映像データを重層的に使用して、該ビデオカメラの移動に同調する速度で任意の位置間隔で移動する複数の映像表示画面に、各移動位置に対応した映像場面を、各々同期して連続的に表示することを特徴とする映像表示方法。」）の構成にある。【００７４】
次に、本映像表示方法及び映像システムにおける他の形態例について、図面に基づいて詳細に説明する。
図２６は、映像表示画面が映像表示手段の画面上に構築されるサブ画面によって構成され、その構成に請求項２記載の発明を適用した場合の具体的な映像表示例を示す説明図である。ここで、縦軸は時間の経過を示し、横軸はかかる時間経過に応じた映像表示画面としての各サブ画面の位置を示している。【００７５】
映像表示手段の画面上に構築された映像表示画面としてのサブ画面は、撮影時におけるビデオカメラ移動の動き（例えば右移動）に同調して同速度で、等位置間隔にて順次に右手方向に移動しながら、かかる撮影にて得られた映像データを重層的に使用（再生）して、各移動位置に対応した映像場面を、各々同期して連続的に表示している。
これにより、映像場面の位置は固定され、被写体そのものの動きのみが表示された連続映像（広視野角映像）が構築される。
構築される連続映像表示（広視野角映像表示）は、ちょうど絵巻物の巻物が順次繰り広げられていくがごとき映像であり、従来にない新たな映像表示方法としての展開が期待される。【００７６】
また、この映像表示方法を、近年各地に設置されつつあるライブカメラの映像表示方法として使用すれば、ビデオカメラの回転移動にともなって収録される映像データをビデオカメラの撮影進行と並行してプレイバック式に逐次重層的に再生することで、連続した広視野角パノラマ映像を電光表示板のテロップ文字のように連続的にフロー表示することができる。【００７７】
さらに、ビデオカメラの移動速度と映像表示画面の移動速度に差異があった場合は、映像場面の位置は固定されずに、その差異の方向と大きさに応じて移動することになる。
例えば、映像表示画面の移動速度がビデオカメラの移動速度より速い場合は、映像場面はビデオカメラ移動の進行方向に進んだ位置にシフトしていき、逆に遅い場合は、映像場面は遅れた位置にシフトしていく。
従って、この両者の速度の差異を積極的に適宜制御することで、バリエーションに富んだ連続映像（広視野角映像）が表示可能である。【００７８】
そして、この映像表示方法にかかる技術思想は、先に説明した種々の映像表示方法、映像記憶媒体及び映像システムにかかる発明に応用できるものである。
つまり、以上に説明した本発明にかかる全ての映像表示方法及び映像システムでは、「ビデオカメラを移動させて撮影した映像データを重層的に使用して表示する」という基本的な構成が共通しており、相互に補完し合う構成を備えている。【００７９】
以上に説明した映像表示方法及び映像システムは、複数の映像表示画面の全てで動画を表示する形態例である。これに対して、動画と静止画を混在させて同時に表示する方法及びシステムの形態例について、以下に説明する。
図２７は、背景のパノラマ映像場面が静止画となっており、その中の一つの移動する映像表示画面が、その画面の移動位置に対応する場面の動画を表示する映像表示方法を示している。
この映像表示方法によれば、ビデオカメラを移動させて撮影した映像データを重層的に使用して、複数の位置に任意に配置された映像表示画面に、各配置位置に対応した映像場面の静止画像を、各々同期して連続的に表示する。図２７の例では、背景のパノラマ静止画像が、連続するとともに固定された映像表示画面の中に表示される。
そして、そのビデオカメラの移動に同調する速度で移動する映像表示画面に、移動位置に対応した映像場面（動画）を同時に表示する。図２７の例では、動画が表示されている映像表示画面は、背景の連続する映像表示画面の中にあって、ビデオカメラの移動方向と同一方向へ走査するように移動する。【００８０】
図２８は、背景の回転パノラマ映像場面が静止画となっており、その中の一つの固定された映像表示画面が、その画面の位置に対応する場面の動画を表示する映像表示方法を示している。
この映像表示方法によれば、ビデオカメラを移動させて撮影した映像データを重層的に使用して、該ビデオカメラの移動に同調する速度で任意の位置間隔で移動する複数の映像表示画面に、各移動位置に対応した映像場面の静止画像を、各々同期して連続的に表示している。図２８の例では、背景の回転パノラマ静止画像が、連続する映像表示画面の移動に伴ってビデオカメラの移動方向とは反対方向へ流れて行くように表示される。
そして、任意の位置に配置された映像表示画面に、配置位置に対応した映像場面を同時に表示している。図２８の例では、動画が表示されている映像表示画面は、背景の連続する映像表示画面の中にあって固定され、その動画の映像場面は、背景の静止場面とともにビデオカメラの移動方向とは反対方向へ流れて行くように表示される。【００８１】
なお、動画と静止画を混在させて同時に表示するシステムについては、図２７と図２８の形態例に限定されず、例えば、動画を表示する映像表示画面は、複数であってもよい。【００８２】
次に、上記の動画と静止画を混在させて同時に表示する映像表示方法及び映像システムについて、その原理と効果について以下に説明する。
写真（静止画）は無限の経過時間で表示の持続が可能であるが、映像（動画）は撮影時間に応じた有限の経過時間でしか表示を持続することができない。一方、映像（動画）は時間が継続する運動をともなったリアルとしての現在そのものの表示が可能であるが、写真（静止画）は時間が停止した運動をともなわない断片としての過去しか表示することができない。
上記の発明は、写真（静止画）の優位性と映像（動画）の優位性を効果的に合成して表示することで、両者の欠点を解消したものである。つまり、運動をともなったリアルとしての現在風景を表示するとともに、その運動が経過終了した過去風景を同時に表示することができる。【００８３】
また、写真（静止画）の表示データ量は、映像（動画）の表示データ量と較べ格段に小さい。ゆえに、両者を合成して表示することで、映像（動画）のみを使用して表示する場合より、表示データ量を大幅に低減することができる。表示データ量が軽くなれば、取扱いが簡単になるとともに、高速でスピーディな表示が可能となる。【００８４】
次に、図２７と図２８に基づいて説明した映像表示方法を、監視カメラの映像表示方法に使用する場合について説明する。
現在、各監視現場に設置されている監視カメラは固定設置されているものが大半であり、その監視映像の表示は、単に監視領域の固定場面風景をテレビモニタ等の映像表示手段に表示しているだけである。また一部には監視カメラを回転させて監視領域を広げた移動場面風景を表示するものもあるが、場面風景が移動する違いはあるが、固定設置の場合と同様に監視映像を、そのまま映像表示手段に表示しているだけである。
従って、広範囲の監視領域を映像表示したい場合は、監視カメラを各監視領域に個別に複数台設置し、各設置カメラからの映像を、並べて置かれた複数の映像表示手段に表示する方法が採用されている。【００８５】
これに対し、図２７と図２８によって示された映像表示方法を使用した監視カメラの映像表示では、監視現場に設置された、１台の監視カメラを回転移動させて撮影した広範囲監視領域の映像データを重層的に使用して、静止画と動画を効果的に組み合わせた、かかる広範囲監視領域をとらえた広視野角映像を制作し、映像表示手段に表示することができる。【００８６】
図２７は監視用ビデオカメラを回転移動させて撮影した広範囲監視現場の撮影映像データを重層的に使用して、ビデオカメラの移動に同調する速度で移動する映像表示画面に各移動位置に対応した映像場面を表示するとともに、並行して、その映像表示画面の各移動位置における映像場面の静止画像を次々に連続して表示して、監視現場の広視野角パノラマ写真を制作することを同時進行で行う状況を示している。
これによれば、動画表示される映像表示画面が移動経過するごとに、その映像場面が静止画の記録として残されるため、監視の確認がより確実になるとともに、現在、とらえている監視カメラの動画映像が、監視現場の広範囲監視領域の中のいかなる領域を表示しているのかを一目瞭然に把握される。【００８７】
また、監視カメラの回転移動の方法として、限定された監視領域を左右に往復する方法が採用されるが、この場合は、一つ前の行き方向のカメラ移動で制作され表示された監視領域の広視野角パノラマ写真（静止画像）を映像表示手段の表示画面に残しておき、次の戻り方向で制作される映像表示（動画、並びに静止画）を、その残された広視野角パノラマ写真に重ねるようにしてワイプ表示する。図２７はこの状況を示している。これによれば、監視の確実性はさらに向上する。
さらには監視映像を静止画像にすることで画像処理が容易になり、制作された監視現場の広視野角パノラマ写真から、画像処理技術を使って、異常を自動的に検出することも、より簡単に行われるようになる。【００８８】
撮影カメラの回転移動は、左右の往復移動にとどまらず、連続的に３６０度を回転させることも行われる。前記した撮影カメラの左右往復回転移動におけると同様に、一回転前の撮影カメラの回転移動で制作された３６０度パノラマ写真を映像表示手段の表示画面に残しておき、次の回転移動で制作される映像表示（動画、並びに静止画）を、残された３６０度パノラマ写真に重ねるようにしてワイプ表示する。これによれば、時々刻々と変化する３６０度方向の現場環境の状況を対比的に把握することができる。【００８９】
また近年はインターネット回線を使用した遠隔監視システムが普及しつつある。これにより監視カメラの目的も、単なる防犯目的から、自然災害の防止、危険設備の事故防止、天候異変の把握、農作物や牧畜等の管理・・等々と、目的も多様化し、運用の範囲も広がりつつある。
本実施例は前記したように、表示データ量が軽いため、コンピュータシステムにおける演算処理が簡単になるとともに、インターネット回線を使っての表示データの転送が高速化され、転送先でのスピーディな映像表示が可能となる。【００９０】
次に、図２７と図２８に基づいて説明した映像表示方法を、監視システムに利用する際の映像システムの形態例について説明する。
監視システムに利用する際の映像システムでは、以上に説明した映像表示方法に基づく映像データの編集処理手続きがコンピュータシステムの演算処理装置にプログラムされ、前記ビデオカメラを移動させて撮影した映像データを直接に前記コンピュータシステムに入力することで、前記編集処理手続きが自動的にプログラム実行され、編集映像データが映像表示手段に撮影とリアルタイムで出力表示されるように構成される。【００９１】
これによれば、ビデオカメラを移動させて撮影した映像データを収録するステップと、その収録映像データを本発明による映像表示方法に基づいて編集した編集映像データを表示するステップとを、別々に分けて実行するのではなく、本発明に基づく映像表示方法の編集処理手続きをあらかじめコンピュータシステムの演算処理装置にプログラムしておき、撮影映像データを直接にコンピュータシステムに入力すれば、自動的に編集作業がプログラム実行され、編集映像データが映像表示手段に撮影とリアルタイムで出力表示される。
特に監視システムや遠隔監視システムの映像表示方法に本発明を運用する場合は、表示映像の同時性が要求されるため、コンピュータシステムによる自動編集処理は必要不可欠となる。【００９２】
さらに、ビデオカメラを回転移動させて撮影した映像データ（デジタル電子データ）を得るように、ビデオカメラの撮影機能に回転機能を備えるとともに、映像データを適宜編集して編集映像データを出力する前記の映像システムの構成を備える映像撮影装置によれば、所望の広角映像を簡単に得ることができる。なお、出力された編集映像データは、映像表示手段によって表示でき、映像記録手段によって記録できる。
ビデオカメラの撮影機能と回転機能は、動画撮影機能を有する撮影部と、その撮影部を旋回させる旋回装置部とからなる構成によって得られる。撮影部は少なくともレンズ部とＣＣＤによってコンパクトなものが構成でき、その部分を旋回装置部で旋回させるように構成することも可能である。
また、その映像撮影装置を適用すれば、パノラマ映像やパノラマ写真及びそのデジタル電子データを簡単に得ることができる。【００９３】
以上、好適な形態例を説明したが、本発明は上記の形態例に限定されるものではなく、発明の精神を逸脱しない範囲で多くの改変を施し得る。
【図１】
0005457668.tif 000002
【図２】
0005457668.tif 000003
【図３】
0005457668.tif 000004
【図４】
0005457668.tif 000005
【図５】
0005457668.tif 000006
【図６】
0005457668.tif 000007
【図７】
0005457668.tif 000008
【図８】
0005457668.tif 000009
【図９】
0005457668.tif 000010
【図１０】
0005457668.tif 000011
【図１１】
0005457668.tif 000012
【図１２】
0005457668.tif 000013
【図１３】
0005457668.tif 000014
【図１４】
0005457668.tif 000015
【図１５】
0005457668.tif 000016
【図１６】
0005457668.tif 000017
【図１７】
0005457668.tif 000018
【図１８】
0005457668.tif 000019
【図１９】
0005457668.tif 000020
【図２０】
0005457668.tif 000021
【図２１】
0005457668.tif 000022
【図２２】
0005457668.tif 000023
【図２３】
0005457668.tif 000024
【図２４】
0005457668.tif 000025
【図２５】
0005457668.tif 000026
【図２６】
0005457668.tif 000027
【図２７】
0005457668.tif 000028
【図２８】
0005457668.tif 000029